(57)【要約】締結システムは、ファスナとファスナ取付工具とを含んでいる。ファスナは、ねじ部２２０を有する細長いシャンク部と、ねじ部２２０の一端に位置する停止肩部２３２と、停止肩部２３２から延びる引張部２２６とを有しているピン部材２１２を含んでいる。停止肩部２３２は、外側リム２３７及び内側環状壁２３６を含んでいる。内側環状壁２３６と内面は、環状窪みを形成する。ファスナ取付具は、前面２７２を有するプーラー２６２を含んでいる。ファスナの窪みは、プーラー２６２がピン部材２１２の引張部２２６と係合すると、ファスナ取付具の前面２７２を受け入れるように構成されており、ファスナ取付具の歯とピン部材２１２の引張溝２２８とが揃うことを容易にする。【選択図】図９
2019500547.tif 000002
【特許請求の範囲】
【請求項１】
ピン部材を有するファスナであって、前記ピン部材は、ねじ部を有する細長いシャンク部と、前記ねじ部の一端に位置する停止肩部と、前記停止肩部から延びる引張部とを有しており、前記停止肩部は、環状窪みを形成する外側リム及び内側環状壁を含んでいる、ファスナと、
前面を有するプーラーを有するファスナ取付具と、
を備えており、
前記ファスナの環状窪みは、前記プーラーが前記ピン部材の引張部と係合すると、前記ファスナ取付具の前面を受け入れるように構成されている、締結システム。
【請求項２】
前記ファスナ取付具の前記プーラーの前面は、前記プーラーの長手方向軸に対して横方向に計った角度で傾斜している、請求項１に記載の締結システム。
【請求項３】
前記ファスナ取付具の受け入れ窪みは、半円状の断面を有している、請求項２に記載の締結システム。
【請求項４】
前記ファスナ取付具の受け入れ窪みは、四角状の断面を有している、請求項２に記載の締結システム。
【請求項５】
前記ピン部材の引張部は、少なくとも１つの引張溝を含み、前記ファスナ取付具のプーラーは、前記ピン部材の引張部の前記少なくとも１つの引張溝と係合するような大きさ及び形状にされた少なくとも１つの歯を含む、請求項２に記載の締結システム。
【請求項６】
前記ピン部材の引張部は複数の引張溝を含み、前記ファスナ取付具のプーラーは、前記ピン部材の引張部の前記複数の引張溝と係合するような大きさ及び形状にされた複数の歯を含む、請求項５に記載の締結システム。
【請求項７】
前記複数の引張溝は、環状の引張溝である、請求項６に記載の締結システム。
【請求項８】
前記複数の引張溝は、らせん状の引張溝である、請求項６に記載の締結システム。
【請求項９】
前記ファスナ取付具の前記プーラーの前面は、前記ファスナ取付具が前記ファスナと係合すると、前記停止肩部の外側リムと係合するように構成されており、
前記停止肩部の外側リムは、前記ピン部材の環状窪みによる前記プーラーの前面の受入れと、前記プーラーの複数の歯と前記ピン部材の複数の溝とが揃うこととを容易にする、請求項６に記載の締結システム。
【請求項１０】
前記ピン部材のねじ部にスエージングされるように構成されたカラーを更に含む、請求項１に記載の締結システム。
【請求項１１】
前記ピン部材の引張部は、前記停止肩部と前記ピン部材の引張部との間に位置する破断溝を含み、前記引張部は、十分な軸力が前記ピン部材に加わると、前記破断溝にて前記ピン部材のシャンク部から破断するように構成されている、請求項１に記載の締結システム。
【請求項１２】
ピン部材を備えており、
前記ピン部材は、ねじ部を有する細長いシャンク部と、前記ねじ部の一端に位置する停止肩部と、前記停止肩部から延びる引張部とを有し、
前記停止肩部は、環状窪みを形成する外側リム及び内側環状壁を含んでおり、
前記環状窪みは、前記プーラーが前記ピン部材の引張部と係合すると、前記ファスナ取付具の前面を受け入れるように構成されている、ファスナ。
【請求項１３】
前記ファスナ取付具の環状窪みは、半円状の断面を有している、請求項１２に記載のファスナ。
【請求項１４】
前記ファスナ取付具の環状窪みは、四角状の断面を有している、請求項１２に記載のファスナ。
【請求項１５】
前記ピン部材の引張部は、前記プーラーの少なくとも１つの歯と係合するように構成された少なくとも１つの引張溝を含む、請求項１２に記載のファスナ。
【請求項１６】
前記ピン部材の引張部は、前記プーラーの複数の歯と係合するように構成された複数の引張溝を含む、請求項１５に記載のファスナ。  
【請求項１７】
前記複数の引張溝は、環状の引張溝である、請求項１６に記載のファスナ。
【請求項１８】
前記複数の引張溝は、らせん状の引張溝である、請求項１６に記載のファスナ。
【請求項１９】
前記ファスナ取付具の前記プーラーの前面は、前記ファスナ取付具が前記ファスナと係合すると、前記停止肩部の外側リムと係合するように構成されており、
前記停止肩部の外側リムは、前記ピン部材の環状窪みによる前記プーラーの前面の受入れと、前記プーラーの複数の歯と前記ピン部材の複数の溝とが揃うこととを容易にする、請求項１５に記載のファスナ。
【請求項２０】
前記ピン部材のねじ部にスエージングされるように構成されたカラーを更に含む、請求項１２に記載のファスナ。
【請求項２１】
前記ピン部材の引張部は、前記停止肩部と前記ピン部材の引張部との間に位置する破断溝を含み、前記引張部は、十分な軸力が前記ピン部材に加わると、前記破断溝にて前記ピン部材のシャンク部から破断するように構成されている、請求項１２に記載のファスナ。
【請求項２２】
ピン部材及び止め具を有するファスナであって、前記ピン部材は、ねじ部を有する細長いシャンク部と、前記ねじ部の一端に位置する停止肩部と、前記停止肩部から延びる引張部とを有しており、前記停止肩部は内壁を含んでおり、前記止め具は前記停止肩部の内壁に並置されている、ファスナと、
前面を有するプーラーを有するファスナ取付具と、
を備えており、
前記ファスナの止め具は、前記プーラーが前記ピン部材の引張部と係合すると、前記ファスナ取付具の前面を受け入れるように構成されている、締結システム。
【請求項２３】
前記止め具は、エラストマー材料から作られている、請求項２２に記載の締結システム。
【請求項２４】
前記ピン部材の引張部は、前記プーラーの少なくとも１つの歯と係合するように構成された少なくとも１つの引張溝を含む、請求項２３に記載の締結システム。
【請求項２５】
前記ピン部材の引張部は、前記プーラーの複数の歯と係合するように構成された複数の引張溝を含む、請求項２３に記載の締結システム。
【請求項２６】
前記複数の引張溝は、環状の引張溝である、請求項２４に記載の締結システム。
【請求項２７】
前記複数の引張溝は、らせん状の引張溝である、請求項２４に記載の締結システム。
【請求項２８】
前記ピン部材のねじ部にスエージングされるように構成されたカラーを更に含む、請求項２２に記載の締結システム。
【請求項２９】
前記ピン部材の引張部は、前記停止肩部と前記ピン部材の引張部との間に位置する破断溝を含み、前記引張部は、十分な軸力が前記ピン部材に加わると、前記破断溝にて前記ピン部材のシャンク部から破断するように構成されている、請求項２２に記載の締結システム。
【発明の詳細な説明】
【技術分野】
【０００１】
＜関連出願の相互参照＞
本願は、出願人による同時継続中の２０１５年１月２１日出願の米国特許出願第１４／６０１,４３５号「ファスナ及びファスナ取付具」に関連しており、その利益を主張する。当該米国特許出願は、２０１４年１月３０日出願の米国仮特許出願第６１／９３３,５３７号「ファスナ及びファスナ取付具」に関連しており、その利益を主張する。当該出願は、引用を以て、本明細書の一部となる。
【０００２】
＜発明の分野＞
本発明は、締結システムに関しており、より詳細には、スエージ型ロックボルトファスナと、それに関連するファスナ取付具とを含む締結システムに関する。
【背景技術】
【０００３】
一般的にロックボルトと呼ばれるツーピーススエージ型ファスナは、複数のワークピースを一緒に固定するために使われる。典型的には、スエージ型ファスナは、ロック溝を有するピン部材と、ファスナ取付具によってピン部材のロック溝にスエージングされるように構成されたスエージカラーとを含む。ファスナ取付具は、ファスナ取付け中にピン部材の引張部と係合するプーラーを有するノーズアセンブリを含む。
【発明の概要】
【０００４】
ある実施形態では、締結システムは、ピン部材を有するファスナであって、前記ピン部材は、ねじ部を有する細長いシャンク部と、前記ねじ部の一端に位置する停止肩部と、前記停止肩部から延びる引張部とを有しており、前記停止肩部は、環状窪みを形成する外側リム及び内側環状壁を含んでいる、ファスナと、前面を有するプーラーを有するファスナ取付具と、を備えており、前記ファスナの環状窪みは、前記プーラーが前記ピン部材の引張部と係合すると、前記ファスナ取付具の前面を受け入れるように構成されている。ある実施形態では、前記ファスナ取付具の前記プーラーの前面は、前記プーラーの長手方向軸に対して横方向に計った角度で傾斜している。ある実施形態では、前記ファスナ取付具の受け入れ窪みは、半円状の断面を有している。ある実施形態では、前記ファスナ取付具の受け入れ窪みは、四角状の断面を有している。ある実施形態では、前記ピン部材の引張部は、少なくとも１つの引張溝を含み、前記ファスナ取付具のプーラーは、前記ピン部材の引張部の前記少なくとも１つの引張溝と係合するような大きさ及び形状にされた少なくとも１つの歯を含む。
【０００５】
ある実施形態では、前記ピン部材の引張部は複数の引張溝を含み、前記ファスナ取付具のプーラーは、前記ピン部材の引張部の前記複数の引張溝と係合するような大きさ及び形状にされた複数の歯を含む。ある実施形態では、前記複数の引張溝は、環状の引張溝である。ある実施形態では、前記複数の引張溝は、らせん状の引張溝である。ある実施形態では、前記ファスナ取付具の前記プーラーの前面は、前記ファスナ取付具が前記ファスナと係合すると、前記停止肩部の外側リムと係合するように構成されており、前記停止肩部の外側リムは、前記ピン部材の環状窪みによる前記プーラーの前面の受入れと、前記プーラーの複数の歯と前記ピン部材の複数の溝とが揃うこととを容易にする。ある実施形態では、前記ファスナ取付具は、前記ピン部材のねじ部にスエージングされるように構成されたカラーを更に含む。ある実施形態では、前記ピン部材の引張部は、前記停止肩部と前記ピン部材の引張部との間に位置する破断溝（breakneck groove）を含み、前記引張部は、十分な軸力が前記ピン部材に加わると、前記破断溝にて前記ピン部材のシャンク部から破断するように構成されている。
【０００６】
ある実施形態では、ファスナは、ピン部材を備えており、前記ピン部材は、ねじ部を有する細長いシャンク部と、前記ねじ部の一端に位置する停止肩部と、前記停止肩部から延びる引張部とを有し、前記停止肩部は、環状窪みを形成する外側リム及び内側環状壁を含んでおり、前記環状窪みは、前記プーラーが前記ピン部材の引張部と係合すると、前記ファスナ取付具の前面を受け入れるように構成されている。ある実施形態では、前記ファスナ取付具の環状窪みは、半円状の断面を有している。ある実施形態では、前記ファスナ取付具の環状窪みは、四角状の断面を有している。ある実施形態では、前記ピン部材の引張部は、前記プーラーの少なくとも１つの歯と係合するように構成された少なくとも１つの引張溝を含む。ある実施形態では、前記ピン部材の引張部は、前記プーラーの複数の歯と係合するように構成された複数の引張溝を含む。ある実施形態では、前記複数の引張溝は、環状の引張溝である、ある実施形態では、前記複数の引張溝は、らせん状の引張溝である。ある実施形態では、前記ファスナ取付具の前記プーラーの前面は、前記ファスナ取付具が前記ファスナと係合すると、前記停止肩部の外側リムと係合するように構成されており、前記停止肩部の外側リムは、前記ピン部材の環状窪みによる前記プーラーの前面の受入れと、前記プーラーの複数の歯と前記ピン部材の複数の溝とが揃うこととを容易にする。前記ピン部材のねじ部にスエージングされるように構成されたカラーを更に備える。ある実施形態では、前記ピン部材の引張部は、前記停止肩部と前記ピン部材の引張部との間に位置する破断溝を含み、前記引張部は、十分な軸力が前記ピン部材に加わると、前記破断溝にて前記ピン部材のシャンク部から破断するように構成されている。
【０００７】
ある実施形態では、締結システムは、ピン部材及び止め具を有するファスナであって、前記ピン部材は、ねじ部を有する細長いシャンク部と、前記ねじ部の一端に位置する停止肩部と、前記停止肩部から延びる引張部とを有しており、前記停止肩部は内壁を含んでおり、前記止め具は前記停止肩部の内壁に並置されている、ファスナと、前面を有するプーラーを有するファスナ取付具と、を備えており、前記ファスナの止め具は、前記プーラーが前記ピン部材の引張部と係合すると、前記ファスナ取付具の前面を受け入れるように構成されている。ある実施形態では、前記止め具は、エラストマー材料から作られている。
【図面の簡単な説明】
【０００８】
【図１】図１は、本発明の実施形態に基づいて構成されたファスナの側面図である。
【図２】図２は、図１にて表示された円形領域の拡大図である。
【図３】図３は、図２の断面図である。
【図４】図４は、ファスナ取付具による図１に図示したファスナの取付けを示す図である。
【図５】図５は、ファスナ取付具による図１に図示したファスナの取付けを示す図である。
【図５Ａ】図５Ａは、ファスナ取付具による図１に図示したファスナの取付けを示す図である。
【図６】図６は、ファスナ取付具による図１に図示したファスナの取付けを示す図である
【図７】図７は、ファスナ取付具による図１に図示したファスナの取付けを示す図である。
【図８】図８は、別の実施形態のピン部材の側面図である。
【図９】図９は、別の実施形態のピン部材と、当該ピン部材に係合するファスナ取付工具のコレットの部分断面図である。
【図１０】図１０は、別の実施形態のピン部材と、当該ピン部材に係合するファスナ取付工具のコレットの部分断面図である。
【図１１Ａ】図１１Ａは、別の実施形態のピン部材の一部の斜視図である。
【図１１Ｂ】図１１Ｂは、図１１Ａに示すピン部材と、当該ピン部材に係合するファスナ取付工具のコレットの側断面図である。
【図１２Ａ】図１２Ａは、別の実施形態のピン部材と、当該ピン部材に係合するファスナ取付工具のコレットの側断面図である。
【図１２Ｂ】図１２Ｂは、別の実施形態のピン部材と、当該ピン部材に係合するファスナ取付工具のコレットの側断面図である。
【発明を実施するための形態】
【０００９】
図１を参照すると、実施形態では、ファスナ１０は、ピン部材１２と、スエージカラー１４とを含んでおり、スエージカラー１４は、ピン部材１２に嵌まってスエージングされるような大きさ及び形状にされている。実施形態では、ピン部材１２は、ロックボルトである。実施形態では、ピン部材１２は、ヘッド１８の一端にて終端する細長いシャンク部１６を含む。実施形態では、シャンク部１６は、滑らかな円筒部１９と、複数のねじ山２２を有しており、ロック溝２４を伴ったねじ部２０と、複数の引張溝２８を有する引張部２６とを有する。実施形態では、引張溝２８は螺旋状の溝である。実施形態では、引張部２６は、少なくとも１つの引張溝２８を含む。別の実施形態では、引張部は、１つの引張溝２８を含む。実施形態では、引張部２６は、ねじ部２０と引張部２６の間に位置する環状の破断溝３０を含む。実施形態では、破断溝３０は、ピン部材１２の最も弱い所を規定しており、ピン部材１２に加えられた軸力、具体的には引張部２６に加えられた軸力に応答して破断するように構成されている。
【００１０】
図１乃至図３を参照すると、実施形態では、ピン部材１２のシャンク部１６は、停止肩部３２を含んでおり、停止肩部３２は、ねじ部２０の一方の端部３４に位置しており、引張部２６の破断溝３０に近接している。実施形態では、停止肩部３２は、シャンク部１６にて環状に形成されている。実施形態では、停止肩部３２は、内側環状壁３６と、シャンク部１６から外側に延びる内面３８とを含む。実施形態では、環状壁３６と内面３８は、それらの間に形成されたアール部（radiused portion）４０で繋がれている。実施形態では、内壁３６、内面３８及びアール部４０は、環状受入領域４２を構成する。実施形態では、内側環状壁３６は、ねじ部２０の端部３４から長手方向に延びる。実施形態では、停止肩部３２の内面３８は、ピン部材１２の長手方向軸から横方向に計ったねじ山の挟角（included angle）Ａで斜めに延びる。実施形態では、ねじ山の角度Ａは約１２０度である。別の実施形態では、ねじ山の角度Ａは約１１０度である。別の実施形態では、ねじ山の角度Ａは約１００度である。別の実施形態では、ねじ山の角度Ａは約１３０度である。別の実施形態では、ねじ山の角度Ａは約１４０度である。別の実施形態では、ねじ山の角度Ａは約１５０度である。別の実施形態では、ねじ山の角度Ａは約１６０度である。別の実施形態では、ねじ山の角度Ａは約１７０度である。別の実施形態では、ねじ山の角度Ａは、約１１０度乃至約１７０度の範囲にある。実施形態では、アール部４０は曲率半径Ｒを伴っている。実施形態では、停止肩部３２は、その他の形状及び大きさで構成されてよく、停止肩部３２は、突出したリップやカールで構成されてよい。
【００１１】
実施形態では、ピン部材１２は、中炭素合金鋼から作られている。実施形態では、ピン部材１２は、グレード８の強度レベルのボルトである。他の実施形態では、ピン部材１２は、例えばグレード２、グレード５、グレード８、クラス８．８及びクラス１０．９といった当該技術分野で周知の任意の等級で特徴付けられてよい。他の実施形態では、ピン部材１２は、当該技術分野で周知の他の適切な材料で作られてよい。
【００１２】
図１に戻ると、実施形態では、スエージカラー１４は、管状のシャンク４４を含んでおり、シャンク４４は、第１の端部４６と、反対側にある第２の端部４８と、第１の端部４６にて円周方向に沿って広がるフランジ５０と、第１の端部４６から第２の端部４８に延びるボア（図示略）とを有する。実施形態では、シャンク４４の形状は、ほぼ一様な円筒である。他の実施形態では、スエージカラー１４は、Ｍｅｒｃｅｒらによる米国特許７，２９３，３３９号において開示及び説明されたカラーの特徴を備えてもよい。当該米国特許の全体は、参照により本明細書の一部となる。
【００１３】
実施形態では、スエージカラー１４は、当該カラー１４の内面から延びる内部フィットアップタブ（fit-up tab）（図示略）を含む。実施形態では、フィットアップタブは、Ｄｉｘｏｎによる米国特許４，８６７，６２５号に示されたような一条ねじを含む。当該米国特許の全体は、参照により本明細書の一部となる。実施形態では、フィットアップタブは、スエージカラー１４のシャンク４４の第２の端部４８に近接配置される。別の実施形態では、フィットアップタブは、スエージカラー１４のシャンク４４の第１の端部４６に近接して配置される。フィットアップタブの目的及び機能については以下で説明する。別の実施形態では、スエージカラー１４は、フィットアップタブを含まなくともよい。
【００１４】
実施形態では、スエージカラー１４は、低炭素鋼で作られる。別の実施形態では、スエージカラー１４は、焼きなましされていない低炭素鋼で作られる。別の実施形態では、スエージカラー１４は、焼きなましされた低炭素鋼で作られる。別の実施形態では、スエージカラー１４は「ヘッディングされたまま（as-headed）」であり、Ｍｅｒｃｅｒらによる上記の米国特許７，２９３，３３９号に開示及び説明されているように熱処理を必要としない。米国特許の全体は、参照により本明細書の一部となる。本明細書において用いられる用語「ヘッディングされたまま」は、熱処理（例えば、クエンチや焼戻し、応力除去等）を用いて硬度を変えるのではなく、例えば冷間加工でひずみ硬化されたカラーを指す。
【００１５】
図４を参照すると、実施形態では、ファスナ１０は、複数のワークピース５２及び５４を一緒に固定するように構成されている。実施形態では、ピン部材１２のシャンク部１６は、ワークピース５２及び５４の孔に挿入されており、ヘッド１８は、ワークピース５４の一方の面５６に当接し、シャンク部１６はワークピース５２の一方の面５８の外側に延びている。実施形態では、スエージカラー１４がピン部材１２のシャンク部１６に嵌められて、シャンク部１６は、カラー１４のボアに挿入される。実施形態では、フィットアップタブは、最初に、カラー１４をピン部材１２に保持するためにピン部材１２のねじ山２２と螺合する。実施形態では、スエージカラー１４は、当該カラー１４のフランジ５０がワークピース５２の一方の面５８に当接するまでピン部材１２に嵌めこまれる。
【００１６】
図４を参照すると、実施形態では、ファスナ取付具６０は、プーラー６２及びスエージアンビル６４を含む。実施形態では、プーラー６２は、複数の内歯６８及び複数の引張溝７０を有しており、ピン部材１２の引張部２６の引張溝２８を把持するような大きさと形状にされて構成されたチャックジョー（chuck jaws）６６を含む。実施形態では、プーラー６２の引張溝７０は、螺旋溝である。実施形態では、プーラー６２は、少なくとも１つの引張溝７０を含む。別の実施形態では、プーラー６２は１つの引張溝７０を含む。別の実施形態では、プーラー６２の引張溝７０は、タッピング（tapping）により形成される。実施形態では、プーラーのチャックジョー６６は、前面７２を含む。実施形態では、この前面は、プーラー６２の長手方向軸に対して横方向に計った角度Ｂを有する。実施形態では、角度Ｂは、ピン部材１２の停止肩部３２の内面３８の角度Ａと一致するように又はほぼ同じに選択されている。実施形態では、角度Ｂは約１２０度である。別の実施形態では、角度Ｂは約１１０度である。別の実施形態では、角度Ｂは約１００度である。別の実施形態では、角度Ｂは約１３０度である。別の実施形態では、角度Ｂは約１４０度である。別の実施形態では、角度Ｂは約１５０度である。別の実施形態では、角度Ｂは約１６０度である。別の実施形態では、角度Ｂは約１７０度である。別の実施形態では、角度Ｂは、約１１０度乃至約１７０度の範囲にある。
【００１７】
実施形態では、ファスナ取付具は、Ｍｅｒｃｅｒらによる前述の米国特許７，２９３，３３９号において開示及び説明された取付具の特徴を含んでよい。実施形態では、ファスナ取付具のスエージアンビルは、スエージカラー１４と係合してスエージカラー１４とピン部材１２の間に相対的軸力を加えて、スエージカラー１４に亘って移動し、ピン部材１２のロック溝２４にそれをスエージングするように構成されている。
【００１８】
図４を参照すると、実施形態では、ファスナ１０は、上記のようにワークピース５２及びワークピース５４に取り付けられている。実施形態では、プーラー６２のジョー６６は、ピン部材１２の引張部２６を通過して被さる（slip over）ために、間隔を開けて広がっており、開位置にある。図５及び図５Ａを参照すると、実施形態では、プーラー６２の歯６８及び引張溝７０は、ピン部材１２の引張部２６の引張溝２８と係合している。実施形態では、プーラー６２のジョー６６の前面７２は、ピン部材１２の停止肩部３２の内面３８に当たって止まっており、ピン部材１２の引張部２６とプーラー６２が適切に揃えられている。これらの輪郭に沿って、停止肩部３２は、ピン部材１２の引張部２６と係合するとプーラー６２を前方に移動させて、ピン部材１２の引張部２６の引張溝２８とプーラー６２の歯６８と揃えることを可能とする。プーラー６２に対するピン部材１２の回転方向に応じて、プーラー６２の歯６８がピン部材１２の引張溝２８に近づくと、プーラー６２は、ピン部材１２の停止肩部３２の受入領域４２へと移動し、或いは、停止肩部３２から離れて後方に移動するであろう。プーラー６２が前方へ移動する場合では、停止肩部３２のねじ山の夾角Ａは、プーラー６２と停止肩部３２の間の干渉を防止する。プーラー６２はその後、引張部２６との係合時において前方に押し進められると、内面３８に向かって下向き及び内向きにスライドする。プーラー６２が引張部２６と揃えられると、プーラー６２のジョーはその後、内向きに移動して閉位置に至り、引張部２６を締め付けて、ピン部材１２に軸力をもたらして、ワークピース５２及びワークピース５４の間の隙間を埋める。アンビル６４はそして、スエージカラー１４と係合してスエージングする。
【００１９】
図６を参照すると、カラー１４が十分にスエージングされると、プーラー６２は、引張部２６が破断溝３０にて外れるまで、ピン部材１２に軸力を与え続ける。それによって、余分な突出部が排除される。図７を参照すると、プーラー６２が戻って、アンビル６４はスエージカラー１４から外れる。引張部２６は、取付具６０から収集装置へと排出される。取り付けられたファスナ１０の破断された引張部２６によって、取付具６０がファスナ１０に適用されたことの視覚的な表示が存在することになる。
【００２０】
図８は、別の実施形態のピン部材１１２を示す。ピン部材１１２は、以下に述べる点を除いて、ピン部材１２と同様の構造、特徴及び特性を有している。実施形態では、ピン部材１１２は、ヘッド１１８の一端で終端する細長いシャンク部１１６を含んでいる。実施形態では、シャンク部１１６は、滑らかな円柱部１１９と、複数のねじ山１２２を有しており、ロック溝１２４を伴ったねじ部１２０と、複数の引張溝２８を有する引張部１２６とを有する。実施形態では、引張溝１２８は環状溝である。実施形態では、引張部１２６は、少なくとも１つの引張溝１２８を含む。別の実施形態では、引張部１２６は、１つの引張溝１２８を含む。実施形態では、引張部１２６は、ねじ部１２０と引張部１２６の間に位置する環状の破断溝１３０を含む。実施形態では、破断溝１３０は、ピン部材１１２の最も弱い所を規定しており、ピン部材１１２に加えられた軸力、具体的には引張部１２６に加えられた軸力に応答して破断するように構成されている。実施形態では、ピン部材１１２のシャンク部１１６は、停止肩部１３２を含んでおり、停止肩部１３２は、ねじ部１２０の端部１３４に位置しており、引張部１２６の破断溝１３０に近接している。実施形態では、停止肩部１３２は、先に説明しており、図１乃至図３に示されているピン部材１２の停止肩部３２と同様の構造、特徴及び特性を含んでいる。
【００２１】
図９は、リム付（rimmed）停止肩部２３２を有している、別の実施形態のピン部材２１２を示している。リム付停止肩部２３２は、ねじ部２２０の端部２３４に位置しており、ピン部材２１２の引張部２２６の破断溝２３０に近接している。実施形態では、停止肩部２３２は、ピン部材２１２のシャンク部に環状に形成される。実施形態では、停止肩部２３２は、半円状の断面を有する内壁２３６と、外側環状リム２３７とを含んでいる。実施形態では、内壁２３６及び外側リム２３７は、半円状の断面形状を有する環状窪み２４２を形成する。実施形態では、内側環状壁２３６は、ねじ部２２０の端部２３４から長手方向に延びている。実施形態では、内側環状壁２３６は半径Ｒを有している。
【００２２】
引き続き図９を参照すると、実施形態では、プーラー２６２は、内歯２６８及び引張溝２７０を有しており、ピン部材２１２の引張部２２６の引張溝２２８と嵌合して把持するような大きさと形状にされて構成されたチャックジョー２６６を含む。実施形態では、プーラー２６２の引張溝２７０は、環状溝である。実施形態では、プーラー２６２は、少なくとも１つの引張溝２７０を含む。別の実施形態では、プーラー２６２は、１つの引張溝２７０を含む。実施形態では、プーラーのチャックジョー２６６は、先端２７３で頂部をなす前面２７２を含む。実施形態では、前面は、プーラー２６２の長手方向軸に対して横方向に測定された角度で傾斜している。
【００２３】
実施形態では、場合によっては、プーラー２６２の歯２６８がピン部材２１２の引張部２２６の引張溝２２８に係合すると、歯２６８及び引張溝２２８は、図９に示すようにずれていてよい。実施形態では、プーラー２６２の傾斜した前面２７２は、ピン部材２１２の停止肩部２３２のリム２３７と係合する。実施形態では、停止肩部２３２の窪み２４２は、先端２７３と、プーラー２６２の前面２７２の少なくとも一部とを受け入れるような大きさと形状にされているので、プーラー２６２がねじ部２２０に向かう方向に前進して、プーラー２６２の歯２６８と、ピン部材２１２の引張部２２６の引張溝２２８とが揃えられる。
【００２４】
図１０は、別の実施形態のピン部材３１２を示す。ピン部材３１２は、ねじ部３２０の端部３３４に位置しており、引張部３２６の破断溝３３０に近接しているリム付停止肩部３３２を有する。実施形態では、停止肩部３３２は、ピン部材３１２のシャンク部に環状に形成されている。実施形態では、停止肩部３３２は、四角い断面を有する内壁３３６と、外側環状リム３３７とを含んでいる。実施形態では、内壁３３６及び外側リム３３７は、四角い断面を有する環状窪み３４２を形成する。
【００２５】
引き続き図１０を参照すると、実施形態では、プーラー３６２は、内歯３６８及び引張溝３７０を有しており、ピン部材３１２の引張部３２６の引張溝３２８と嵌合して把持するような大きさと形状にされて構成されたチャックジョー３６６を含む。実施形態では、プーラー３６２の引張溝３７０は環状溝である。実施形態では、プーラー３６２は、少なくとも１つの引張溝３７０を含む。別の実施形態では、プーラー３６２は、１つの引張溝３７０を含む。実施形態では、プーラーのチャックジョー３６６は、先端３７３で頂部をなす前面３７２を含む。実施形態では、前面は、プーラー３６２の長手方向軸に対して横方向に測定された角度で傾斜している。
【００２６】
プーラー３６２の歯３６８がピン部材３１２の引張部３２６の引張溝３２８に係合すると、歯３６８及び引張溝３２８は、図１０に示すようにずれている。実施形態では、プーラー３６２の傾斜した前面３７２は、ピン部材２１２の停止肩部３３２のリム３３７と係合する。実施形態では、停止肩部３３２の窪み３４２は、プーラー３６２の先端３７３と前面３７２の少なくとも一部とを受け入れるような大きさと形状にされているので、プーラー３６２がねじ部３２０に向かう方向に前進して、プーラー３６２の歯３６８と、ピン部材３１２の引張部３２６の引張溝３２８とが揃えられる。
【００２７】
図１１Ａ及び図１１Ｂは、別の実施形態のピン部材４１２を示している。ピン部材４１２は、ねじ部４２０の端部４３４に配置されており、引張部４２６の破断溝４３０に近接している複数のリム付停止肩部４３２を有する。実施形態では、停止肩部４３２は、ピン部材４１２のねじ部４２０の端部４３４において、周方向に互いに離間している。実施形態では、停止肩部４３２の各々は、内壁４３６を含んでおり、内壁４３６は、内側湾曲部分４３３と、傾斜（即ち、斜め）部分４３５とを有する断面を有しており、外側リム４３７を形成している。実施形態では、内壁４３６及び外側リム４３７は、環状窪み４４２を形成する。
【００２８】
引き続き図１１Ａ及び図１１Ｂを参照すると、実施形態では、プーラー４６２は、内歯４６８及び引張溝４７０を有しており、ピン部材４１２の引張部４２６の引張溝４２８と嵌合して把持するような大きさと形状にされて構成されたチャックジョー４６６を含む。実施形態では、プーラー４６２の引張溝４７０は環状溝である。実施形態では、プーラー４６２は、少なくとも１つの引張溝４７０を含む。別の実施形態では、プーラー４６２は、１つの引張溝４７０を含む。実施形態では、プーラーのチャックジョー４６６は、先端４７３で頂部をなす前面４７２を含む。実施形態では、前面４７２は、プーラー４６２の長手方向軸に対して横方向に測定された角度で傾斜している。
【００２９】
プーラー４６２の歯４６８がピン部材４１２の引張部４２６の引張溝４２８に係合すると、歯４６８及び引張溝４２８はずれていてよい。実施形態では、プーラー４６２の傾斜した前面４７２は、ピン部材４１２の停止肩部４３２のリム４３７と係合する。実施形態では、停止肩部４３２の窪み４４２は、先端４７３と、プーラー４６２の前面４７２とを受け入れるような大きさと形状にされているので、プーラー４６２がねじ部４２０に向かう方向に前進して、プーラー４６２の歯４６８と、ピン部材４１２の引張部４２６の引張溝４２８とが揃えられる。
【００３０】
図１２Ａ及び１２Ｂは、別の実施形態のピン部材５１２を示している。ピン部材５１２は、ねじ部５２０の端部５３４に位置しており、引張部５２６の破断溝５３０に近接している停止肩部５３２を有している。実施形態では、停止肩部５３２は、ピン部材５１２のシャンク部に環状に形成されている。別の実施形態では、ピン部材５１２は、周方向に互いに離間して配置された複数の停止肩部５３２を含んでよい。実施形態では、停止肩部５３２は、ピン部材５１２の長手方向軸に対して垂直に向いている内壁５３６を含んでいる。別の実施形態では、内壁５３６は、ピン部材５１２の長手方向軸に対して実質的に垂直に向いている。実施形態では、内壁５３６に並置された止め具（stop）５３９が設けられている。実施形態では、止め具５３９は、エラストマー材料から作られる。実施形態では、止め具５３９はゴムから作られている。別の実施形態では、止め具５３９は、ポリウレタンから作られる。別の実施形態では、止め具５３９は、当該技術分野において知られている他の適切な変形可能な材料から作られる。実施形態では、止め具５３９は、当該技術分野において知られている接着剤又は他の手段によって内壁５３６に取り付けられる。実施形態では、止め具５３９はリング形状である。
【００３１】
引き続き図１２Ａ及び図１２Ｂを参照すると、実施形態では、プーラー５６２は、内歯５６８及び引張溝５７０を有しており、ピン部材５１２の引張部５２６の引張溝５２８と嵌合して把持するような大きさと形状にされて構成されたチャックジョー５５６を含む。実施形態では、プーラー５６２の引張溝５７０は環状溝である。実施形態では、プーラー５６２は、少なくとも１つの引張溝５７０を含む。別の実施形態では、プーラー５６２は、１つの引張溝５７０を含む。実施形態では、プーラーのチャックジョー５６６は、先端５７３で頂部をなす前面５７２を含む。実施形態では、前面５７２は、プーラー５６２の長手方向軸に対して横方向に測定された角度で傾斜している。
【００３２】
図１２Ａを参照すると、プーラー５６２の歯５６８がピン部材５１２の引張部５２６の引張溝５２８に係合する場合、歯５６８及び引張溝５２８はずれていてよい。実施形態では、プーラー５６２の傾斜した前面５７２と先端５７３は、ピン部材５１２の止め具５３９と係合する。図１２Ｂを参照すると、プーラー５６２が前進して、プーラー５６２の傾斜した前面５７２と先端５７３が、止め具５３９へと押されており、これにより、歯５６８と引張溝５２８とが係合して互いに揃えられると、プーラー５６２は、変形して、停止肩部５３２へと進むことができる。
【００３３】
本明細書に記載の実施形態は単に例示的なものであること、そして、当業者は本発明の精神及び範囲から逸脱することなく多くの変更及び修正を行い得ること、それは理解されるべきである。全てのそのような変更及び修正は、添付の特許請求の範囲で定義される本発明の範囲内に含まれることが意図されている。
【図１】
2019500547.tif 000003
【図２】
2019500547.tif 000004
【図３】
2019500547.tif 000005
【図４】
2019500547.tif 000006
【図５】
2019500547.tif 000007
【図５Ａ】
2019500547.tif 000008
【図６】
2019500547.tif 000009
【図７】
2019500547.tif 000010
【図８】
2019500547.tif 000011
【図９】
2019500547.tif 000012
【図１０】
2019500547.tif 000013
【図１１Ａ】
2019500547.tif 000014
【図１１Ｂ】
2019500547.tif 000015
【図１２Ａ】
2019500547.tif 000016
【図１２Ｂ】
2019500547.tif 000017
【国際調査報告】
2019500547.tif 000018
2019500547.tif 000019